(57)【要約】【課題】洗剤を早期に溶かすことで洗浄性能を向上した食器洗い機を実現する。【解決手段】下段食器かご６より下方の位置に２個の洗浄水噴射口５ａ、５ｂを配設し、洗浄水噴射口５ａ、５ｂから洗剤投入部１７へ向けて洗浄水を噴射することにより、洗い行程で早期に洗剤を溶かすことが可能となり、洗剤の溶け残りを防止するとともに、洗浄性能を向上することができる。【選択図】図１
2007282832.tif 000002
【特許請求の範囲】
【請求項１】
前面に開口を有する洗浄槽と、前記洗浄槽内に配設された複数の食器かごと、前記食器かごに収容された被洗浄物に洗浄水を噴射する複数の噴射部と、前記複数の噴射部に洗浄水を供給するポンプ装置と、洗剤投入部とを備え、前記複数の食器かごのいずれよりも下方に、前記洗剤投入部に向けて洗浄水を噴射する洗浄水噴射口を備えた食器洗い機。
【請求項２】
洗剤投入部を洗浄槽の底部に配設するとともに、複数の食器かごのいずれよりも下方に設けた洗浄水噴射口は、略水平方向または下方へ向けて洗浄水を噴射するよう構成した請求項１記載の食器洗い機。
【請求項３】
洗浄槽内部の側壁に沿わせて固定洗浄ノズルを配設し、複数の食器かごのいずれよりも下方に設けた洗浄水噴射口は前記固定洗浄ノズルに設けた請求項１または２に記載の食器洗い機。
【発明の詳細な説明】
【技術分野】
【０００１】
本発明は洗浄槽内に収容した食器に洗浄水を噴射して食器を洗浄する食器洗い機に関するものである。
【背景技術】
【０００２】
従来、一般家庭用の食器洗い機は洗浄槽内に設置した食器かごに並べられた食器などの被洗浄物に洗浄水を噴射して洗浄するものが用いられてきた。このとき、食器かごに並べられた多数の被洗浄物に満遍なく洗浄水が噴射されるように、洗浄水を噴射する洗浄ノズルの配置が重要な要素となる。特に、洗浄槽内に多数の被洗浄物が収容できるように食器かごを複数段に設けた場合には、各段の被洗浄物に対して洗浄水が均等に噴射される必要があるが、上段に配置された食器かごに収容された被洗浄物には下方から噴射した洗浄水は下段に並べられた被洗浄物が障害となって充分に洗浄水が行き渡らず、上段に収容された被洗浄物に対する洗浄能力が低下することになる。
【０００３】
これらの問題を解決するために、洗浄槽内の多方向から被洗浄物に洗浄水を噴射できるように複数の洗浄ノズルを配置した食器洗い機が知られている。（例えば、特許文献１参照）この種の食器洗い機では図５に示すように複数の洗浄ノズルは、洗浄槽２の下方に回転洗浄ノズル３、４、洗浄槽の側壁に固定洗浄ノズル５が配設されている。
【０００４】
次に、この種の食器洗い機の動作について説明する。扉を開いて被洗浄物１０を収容した下段食器かご６及び上段食器かご７が洗浄槽２内に収納され、扉の内面に設けられた洗剤投入部に洗剤が投入されて扉により洗浄槽２が閉じられると洗剤は洗剤投入部から洗浄槽２内の底部に一部は落下し、運転を開始して、洗浄行程、すすぎ行程、乾燥行程の順に実行する。まず、給水弁が動作して所定量の洗浄水が洗浄槽２内に給水され、洗剤が溶ける。洗剤液を含んだ洗浄水はヒータ１２によって加熱され、洗浄ポンプによって加圧されて各洗浄ノズルへ送給され、各洗浄ノズルより洗浄水を噴射して被洗浄物１０の洗浄を行う。扉の洗剤投入部に残った洗剤は、洗浄水の噴射により洗浄水に溶け込んでいく。
【０００５】
洗浄槽２内に各ノズルから噴射された洗浄水は被洗浄物１０を洗浄して洗浄槽２の下部に流下し、再びヒータ１２によって加熱され、排水口に集められて、再び洗浄ポンプから各洗浄ノズルに送給される。洗浄水の温度は温度センサによって検出されており、所定温度を越えるとヒータ１２への通電が停止されるので、洗浄に適した温度が維持される。
【０００６】
所定時間の洗浄行程が終了すると、汚れを含む洗浄水は排水ポンプから機外に排出され、洗浄槽２内に新たに洗浄水が給水され、洗浄行程と同様に、各洗浄ノズルから噴射され、被洗浄物１０に付着した洗剤や残菜等を洗い流すすすぎ行程が実行される。すすぎ行程は、所定時間の運転の後、すすぎによって洗剤や残菜を洗い出した洗浄水は排水ポンプから機外に排出され、洗浄槽２内には新たな洗浄水が給水され、再びすすぎ動作を行う行程を３回実行し、洗浄水を機外に排出してすすぎ行程を終了する。
【０００７】
続いて乾燥行程が実行され、図示しない送風機から洗浄槽２内に送給される外気がヒータ１２によって加熱され、送風と加温との両方の効果によって被洗浄物１０に付着した水滴の蒸発が促進される。乾燥行程が所定時間実施された後、運転が停止されて食器洗浄のすべての行程が終了する。
【特許文献１】特開２００４−２６７６６１号公報
【発明の開示】
【発明が解決しようとする課題】
【０００８】
しかしながら、このような従来の食器洗い機においては、投入した洗剤が被洗浄物の設置状態により、被洗浄物が障害となり、洗剤投入部へ洗浄水が行き渡らず、洗浄行程で洗剤が溶けずに、運転終了後まで溶け残ったり、洗浄性能が低下するといった問題があった。
【０００９】
本発明は、上記従来の課題を解決するもので、被洗浄物の設置状態によらず、投入した洗剤を早期に溶かすことにより、洗剤の溶け残りを防止し、洗浄性能を向上することを目的とする。
【課題を解決するための手段】
【００１０】
上記目的を達成するために本発明は、前面に開口を有する洗浄槽と、前記洗浄槽内に配設された複数の食器かごと、前記食器かごに収容された被洗浄物に洗浄水を噴射する複数の噴射部と、前記複数の噴射部に洗浄水を供給するポンプ装置と、洗剤投入部とを備え、前記複数の食器かごのいずれよりも下方に、前記洗剤投入部に向けて洗浄水を噴射する洗浄水噴射口を備えたことにより、被洗浄物の設置状態によらず、洗剤を早期に溶かすことが可能となる。
【発明の効果】
【００１１】
本発明の食器洗い機は、洗剤の溶け残りを防止し、洗浄性能を向上することができる。
【発明を実施するための最良の形態】
【００１２】
第１の発明は、前面に開口を有する洗浄槽と、前記洗浄槽内に配設された複数の食器かごと、前記食器かごに収容された被洗浄物に洗浄水を噴射する複数の噴射部と、前記複数の噴射部に洗浄水を供給するポンプ装置と、洗剤投入部とを備え、前記複数の食器かごのいずれよりも下方に、前記洗剤投入部に向けて洗浄水を噴射する洗浄水噴射口を備えたことにより、被洗浄物の設置状態によらず、洗い行程の早期に洗剤を溶かすことが可能となり、洗剤の溶け残りを防止し、洗浄性能を向上することができる。
【００１３】
第２の発明は、上記第１の発明において、洗剤投入部を洗浄槽の底部に配設するとともに、複数の食器かごのいずれよりも下方に設けた洗浄水噴射口は、略水平方向または下方へ向けて洗浄水を噴射するよう構成したことにより、被洗浄物の設置状態によらず、洗剤投入部へ洗浄水を供給することが可能となり、洗剤の溶け残りを防止し、洗浄性能を向上することができる。
【００１４】
第３の発明は、上記第１〜２の発明において、洗浄槽内部の側壁に沿わせて固定洗浄ノズルを配設し、複数の食器かごのいずれよりも下方に設けた洗浄水噴射口は前記固定洗浄ノズルに設けたことにより、新たに噴射部を設ける必要がなく、省スペース化を図ることができる。
【００１５】
以下、本発明の実施の形態について、図面を参照しながら説明する。また、この実施の形態によって本発明が限定されるものではない。
【００１６】
（実施の形態１）
図１及び図２は、実施形態に係る食器洗い機１の洗浄槽２内に被洗浄物１０を収容した状態を正面側及び側面側から見た状態で示すもので、洗浄槽２の下方には第１の回転洗浄ノズル３及び第２の回転洗浄ノズル４が配設され、洗浄槽２内の背面には、幅方向のほぼ中央に上下方向に設けた垂直部から左右にそれぞれ複数の噴射口を有する水平部を延出させて略十字状に形成された固定洗浄ノズル５が配設されている。固定洗浄ノズル５は、扁平な筒状に形成することによって、洗浄槽２の背面から突出して被洗浄物１０の収容スペースを削減してしまうことがない。また、洗浄槽２内には、被洗浄物１０を収容する下段食器かご６及び上段食器かご７がそれぞれ前後方向に引き出しできるように配設されている。洗浄槽２内に収容された被洗浄物１０に対して前記第１の回転洗浄ノズル３、第２の回転洗浄ノズル４及び固定洗浄ノズル５から洗浄水を噴射することにより、被洗浄物１０が洗浄される。
【００１７】
洗浄槽２の底部には、洗浄ポンプ８の吸い込み側に連通した排水口９が設けられ、排水口９には残菜を収集する残菜フィルタ１１と、洗浄水を加熱するヒータ１２と、洗剤投入部１７が配設されている。ヒータ１２は正面から見て洗浄槽２の幅方向の中央付近に左右方向を長手方向として配設されている。残菜フィルタ１１を透過した洗浄水は洗浄ポンプ８に吸い込まれて加圧され、分水手段１３によって第１及び第２の各回転洗浄ノズル３、４及び固定洗浄ノズル５に洗浄水の送給が順次切り替えられ、第１及び第２の各回転洗浄ノズル３、４及び固定洗浄ノズル５から洗浄水が噴射される。
【００１８】
洗剤投入部１７は、洗浄槽２の最前部、幅方向の中央付近で、ヒータ１２の前方かつ近傍に配設されている。洗剤投入部１７内部には霧化発生手段１８が配設される。溶けた洗剤を霧化発生手段１８により、霧化させることで通常使用時の洗剤濃度より高濃度の洗剤液を満遍なく被洗浄物１０に付着させ、被洗浄物１０に付着させた高濃度の洗剤の化学力により洗浄性能を大幅に向上することができる。以下、霧化発生手段１８の働きを詳しく説明する。
【００１９】
図３は、洗剤投入部１７の縦断面図（要部拡大縦断面図）である。図３において、洗剤液作成部１９は、洗浄槽２の前端の一辺に沿った位置に、洗浄槽２と隔壁２０を隔てて形成し、隔壁２０の一部を切り欠いて洗浄槽２と連通しており、その内方に、洗剤液作成部１９内で作成した洗剤液を霧化するための霧化発生手段１８を配置している。霧化発生手段１８は、図３に示すように、下面に超音波振動子（霧化発生用振動子）２１を配置し、この超音波振動子２１の振動面の上方に封入液体２２を封入した容器２３を配置し、封入液体２２と容器２３とで構成する振動伝達物質を介して、容器２３の超音波振動子２１に対向した面すなわち霧化発生面２４を振動させ、洗剤液作成部１９内の洗剤液を霧化するよう構成している。さらに、洗剤液作成部１９内に洗浄用洗剤を導入する洗剤投入口２５を、洗剤液作成部１９の上方に配置している。
【００２０】
ここで、洗剤投入部１７の動作、作用を説明しておく。洗剤投入部１７に所定量の洗剤を入れると、洗剤液作成部１９内に洗剤が導入される。次に、動作を開始すると、図示しない給水弁を開いて所定量の水量の洗浄水を給水する。洗浄水は、洗浄槽２より隔壁２０の切り欠き部を通って、洗剤液作成部１９に浸入し、洗剤の一部が洗浄水に溶ける。この時点において、超音波振動子２１を駆動すると、その振動が封入液体２２を伝播し、封入液体２２と容器２３を介して、霧化発生面２４を振動させる。このとき、霧化発生面２４の位置は、超音波振動子２１の振動振幅が最大になる位置に配置しておくと、霧化発生面２４を大きく振動させることができる。この振動により、さらに上面にある洗浄水を振動させて、洗浄水を霧化し、同時に、洗剤液作成部１９にセットした洗剤も溶かしながら、洗浄槽２内に高濃度の洗剤液を飛散させ、この高濃度の洗剤液を被洗浄物１０に付着させることができる。
【００２１】
洗浄行程の前処理行程として、上述のように、霧化発生手段１８より洗浄槽２内に高濃度の洗剤液を飛散させ、この高濃度の洗剤液を被洗浄物１０に付着させ、その状態で放置すると、高濃度の洗剤液が被洗浄物１０に付着している汚れを化学的に分解する。前処理行程の後の本洗浄行程では、前処理行程で高濃度洗剤液により特定の汚れを分解した後の汚れに対して、従来の食器洗い機としての洗浄を行う。被洗浄物１０の汚れにおいては、温度や機械力（各洗浄ノズルからの洗浄水の噴射の勢い）が非常に効果的なものもある。また、前処理行程で分解をした汚れにおいてもそれだけで洗浄できるものではなく、同様に温度や機械力によって確実に洗浄できるようにする。
【００２２】
しかしながら、この前処理行程での高濃度洗剤液の付着後の放置による汚れの分解は、従来では取れなかった汚れの種類に対して非常に有効である。本発明の洗剤投入口２５は、洗浄槽２の前端に沿って配置した洗剤液作成部１９の上方に配置しているため、使用者が洗剤を投入するときに、容易かつ確実に洗剤投入口２５に洗剤を投入でき、洗剤液作成部１９に導入することができる。これにより、確実に所定の濃度すなわち通常使用時の洗剤濃度より高濃度の洗剤液を飛散させ、満遍なく被洗浄物に付着させることができ、被洗浄物に付着させた高濃度の洗剤の化学力とその後の本洗浄行程により、洗浄性能を大幅に向上した食器洗い機を実現することができる。なお、洗剤投入口が無く、洗剤液作成部１９に洗剤を直接投入する構成でも同様の効果が得られるのは言うまでも無い。
【００２３】
固定洗浄ノズル５には下段食器かご６下方の位置に２個の洗浄水噴射口５ａ、５ｂを水平方向に配列し、洗浄水噴射口５ａ、５ｂから洗剤投入部１７およびヒータ１２へ向けて洗浄水を噴射する。洗浄水噴射口５ａ、５ｂの向きは、前方略水平方向でも良いが、水平方向よりやや下方に向けることが望ましい。また、洗浄水噴射口５ａ、５ｂは、配列をヒータ１２の長手方向とし、ヒータ１２の長手方向の中心部付近の後方に位置させているため、ヒータ１２全体へ偏りなく洗浄水を噴射、供給することができる。
【００２４】
また、洗浄水噴射口５ａ、５ｂからの噴射により、前処理行程の後の本洗浄行程において、洗剤液作成部１９に溶け残った洗剤を早期に溶かすことが可能となるため、本洗浄行程において洗剤の性能を最大限生かすことができ、洗浄性能を向上することができる。特に、運転時間短縮を実現するために、洗浄行程を短く設定した場合に洗剤の性能を最大限生かせるため、非常に有効である。また、洗剤投入部１７上部に被洗浄物１０が設置され、従来、洗浄水が洗剤投入部１７へ供給されない場合においても、本発明の形態では下段食器かご６下方に洗浄水噴射口５ａ、５ｂを設けたことで、被洗浄物１０が障害となることがなく、被洗浄物１０の設置状態によらず、必ず洗剤を溶かすことができ、洗剤の溶け残りを防止することができる。
【００２５】
なお、霧化発生手段１８がなく、洗剤投入部を扉１５の洗浄槽２内部側の面上とした場合においても、扉１５を閉じたときに洗剤が落下する位置付近へ洗浄水を噴射することで、上記と同様の効果が得られる。
【００２６】
上記構成になる食器洗い機１は、扉１５を開いて被洗浄物１０を収容した下段食器かご６及び上段食器かご７が洗浄槽２内に収納され、洗剤投入部１７へ洗剤が投入されて扉１５により洗浄槽２が閉じられると運転を開始して、前処理行程、本洗浄行程、すすぎ行程、乾燥行程の順に実行する。
【００２７】
まず、給水弁が動作して所定量の洗浄水が洗浄槽２内に給水され、前述の前処理行程を行う。次に、本洗浄行程では給水された洗浄水はヒータ１２によって加熱され、洗浄ポンプ８によって加圧されて分水手段１３から第１、第２の各回転洗浄ノズル３、４及び固定洗浄ノズル５に選択的に洗浄水が送給される。ここでは、分水手段１３は第１の回転洗浄ノズル３、第１の回転洗浄ノズル３及び第２の回転洗浄ノズル４、第２の回転洗浄ノズル４、固定洗浄ノズル５の順に所定時間毎に洗浄水の送給を切り替えるように動作する。第１及び第２の回転洗浄ノズル３、４は送給された洗浄水が噴射口から噴出する噴流によって回転し、回転移動する洗浄水を噴射して主に下段食器かご６に収容された被洗浄物１０を洗浄する。
【００２８】
また、固定洗浄ノズル５は上段食器かご７の下に位置させた水平部に水平方向に配列された噴射口から洗浄水を上段食器かご７に収容された被洗浄物１０を洗浄する。固定洗浄ノズル５の垂直部の上端近傍にも噴射口を設け、上段食器かご７に収容された被洗浄物１０に上方後方から洗浄水を噴射して洗浄する。
【００２９】
洗浄槽２内に第１及び第２の各回転洗浄ノズル３、４及び固定洗浄ノズル５から噴射された洗浄水は被洗浄物１０を洗浄して洗浄槽２の下部に流下し、排水口９に集められて再びヒータ１２によって加熱され、残菜フィルタ１１を透過して再び洗浄ポンプ８から分水手段１３を経て第１及び第２の各回転洗浄ノズル３、４及び固定洗浄ノズル５に送給される。洗浄水が噴射されて被洗浄物１０から脱落した残菜は残菜フィルタ１１に捕集される。また、洗浄水の温度は温度センサ１４によって検出されており、所定温度を越えるとヒータ１２への通電が停止されるので、洗浄に適した温度が維持される。
【００３０】
所定時間の洗浄行程が終了すると、汚れを含む洗浄水は排水ポンプ１６から機外に排出され、洗浄槽２内に新たに洗浄水が給水される。給水された洗浄水は洗浄ポンプ８の運転により第１及び第２の各回転洗浄ノズル３、４及び固定洗浄ノズル５から噴射され、被洗浄物１０に付着した洗剤や残菜等を洗い流すすすぎ行程が実行される。すすぎ行程は、所定時間の運転の後、すすぎによって洗剤や残菜を洗い出した洗浄水は排水ポンプ１６から機外に排出され、洗浄槽２内には新たな洗浄水が給水され、再びすすぎ動作を行う行程を３回実行し、洗浄水を機外に排出してすすぎ行程を終了する。
【００３１】
従来、ヒータ１２表面へ積極的に洗浄水を噴射しておらず、洗浄水はヒータ１２表面を流れるのみであったため、洗浄行程で付着した残菜や汚染物がすすぎ行程を終えてもヒータ１２表面に残る場合があったが、本実施の形態によると、固定洗浄ノズル５に設けた洗浄水噴射口５ａ、５ｂからヒータ１２表面へ向けて略水平方向または下方へ洗浄水を高圧で噴射することにより、ヒータ１２表面への残菜や汚染物の付着をなくしている。
【００３２】
続いて乾燥行程が実行され、図示しない送風機から洗浄槽２内に送給される外気がヒータ１２によって加熱され、送風と加温との両方の効果によって被洗浄物１０に付着した水滴の蒸発が促進される。乾燥行程が所定時間実施された後、運転が停止されて食器洗浄のすべての行程が終了する。
【００３３】
上記各行程における洗浄槽２内への洗浄水の給水制御、洗浄ポンプ８及び排水ポンプ１６の駆動制御、温度センサ１４による温度検出に基づくヒータ１２への通電制御、乾燥行程における送風機の駆動制御などは、食器洗い機１内に設けられた図示しない制御装置によって実施される。
【００３４】
本実施形態に係る食器洗い機１では、洗浄ノズルが第１及び第２の各回転洗浄ノズル３、４及び固定洗浄ノズル５として設けられているので、洗浄ポンプ８から送給される洗浄水は、分水手段１３によって各洗浄ノズルに対して選択的に送給される。ここでは、前述したように第１の回転洗浄ノズル３にのみ洗浄水が送給される状態、第１の回転洗浄ノズル３と第２の回転洗浄ノズル４に洗浄水が送給される状態、第２の回転洗浄ノズル４にのみ洗浄水が送給される状態、固定洗浄ノズル５にのみ洗浄水が送給される状態、の４つの洗浄状態に分水制御される。このように複数の洗浄ノズルに選択的に洗浄水を送給するようにすることにより、複数の洗浄ノズルの全てに同時に洗浄水を送給した場合に洗浄槽２内に溜める給水量が多くなり、使用水量の増加及び温度上昇時間の増加に伴う消費電力量の増加、大型化などの問題を解消することができる。
【００３５】
上記のように、分水手段１３により、各洗浄ノズルを分水制御した場合、従来の構成では、固定洗浄ノズル５のみに洗浄水が送給される状態において、固定洗浄ノズル５は主に上段かご７へ噴射するため、ヒータ１２表面および洗剤投入部１７に洗浄水がかかりにくい状態となる。特に、下段食器かご６上のヒータ１２あるいは洗剤投入部１７上方に鍋類などの大きな被洗浄物を設置した場合、上方より落下する洗浄水が遮られ、ヒータ１２表面および洗剤投入部１７に洗浄水が供給されず、ヒータ１２表面への残菜や汚染物などの付着や洗剤の溶け残りが発生しやすかった。一方、本実施の形態では、固定洗浄ノズル５のみに洗浄水が送給される状態においても、洗浄水噴射口５ａ、５ｂからヒータ１２および洗剤投入部１７へ洗浄水を噴射しているため、ヒータ１２表面および洗剤投入部１７を洗浄することができる。また、洗浄水噴射口５ａ、５ｂは下段食器かご６下方の位置に配設しているため、被洗浄物に遮られることなく常にヒータ１２表面および洗剤投入部１７を洗浄することができる。以上のように、本発明は分水手段により各洗浄ノズルを分水制御した食器洗い機において特に有効である。
【００３６】
複数の洗浄ノズルに選択的に洗浄水を送給する分水手段１３は、図４に示すような簡単な構造に分水手段１３を構成することができる。図４は、分水手段１３の構成例を模式的に示すもので、中心部に洗浄ポンプ８から洗浄水が供給される円筒状の分水弁４０の周面上には、９０度方向に２ヶ所の送水開口部４１ａ、４１ｂが開口し、紙面上方を０度として時計回りの９０度方向に第１の回転洗浄ノズル３に配管された送水配管４２、１８０度方向に第２の回転洗浄ノズル４に配管された送水配管４３、３１５度方向に固定洗浄ノズル５に配管された送水配管４４がそれぞれ分水弁４０の周面に対向して配置されている。
【００３７】
分水弁４０を図示しない駆動手段により回動角度４５度毎に回動させ、図４（ａ）に示す角度位置に回動させると、送水開口部４１ａが送水配管４２の方向に開口するので、洗浄ポンプ８から分水弁４０内に供給された洗浄水は第１の回転洗浄ノズル３に送給される。また、図４（ｂ）に示す角度位置に回動させると、送水開口部４１ａが送水配管４３の方向に開口し、送水開口部４１ｂが送水配管４２の方向に開口するので、洗浄ポンプ８から分水弁４０内に供給された洗浄水は第１の回転洗浄ノズル３と第２の回転洗浄ノズル４とに送給される。また、図４（ｃ）に示す角度位置に回動させると、送水開口部４１ｂが送水配管４３の方向に開口するので、第２の回転洗浄ノズル４に洗浄水が送給される。また、図４（ｄ）に示す角度位置に分水弁４０を回動させると、送水開口部４１ａが送水配管４４の方向に開口するので、固定洗浄ノズル５に洗浄水が送給される。
【００３８】
分水手段１３を上記構成例のように構成することにより、前述した第１の回転洗浄ノズル３にのみ洗浄水を送給して被洗浄物１０を洗浄する状態、第１及び第２の各回転洗浄ノズル３、４に洗浄水を送給して被洗浄物１０を洗浄する状態、第２の回転洗浄ノズル４のみに洗浄水を送給して被洗浄物１０を洗浄する状態、固定洗浄ノズル５のみに洗浄水を送給して被洗浄物１０を洗浄する状態、に順次切り替えることができる。
【産業上の利用可能性】
【００３９】
以上のように、本発明にかかる食器洗い機は食器かご下方に設けた洗浄水噴射口より洗浄水を噴射し、洗剤を早期に溶かすことで、洗剤の溶け残りを防止し、洗浄性能を向上することが可能となるので、洗浄水を噴射して被洗浄物の洗浄を行う食器洗い機等として有用である。
【図面の簡単な説明】
【００４０】
【図１】本発明の実施の形態１の食器洗い機の構成を示す正面図
【図２】同食器洗い機の構成を示す側面図
【図３】同食器洗い機の洗剤投入部の縦断面図
【図４】同食器洗い機の分水手段の構成例をその動作順に示す模式図
【図５】従来技術に係る食器洗い機の構成を示す正面図
【符号の説明】
【００４１】
２    洗浄槽
３    第１の回転洗浄ノズル（噴射部）
４    第２の回転洗浄ノズル（噴射部）
５    固定洗浄ノズル（噴射部）
５ａ  洗浄水噴射口
５ｂ  洗浄水噴射口
６    下段食器かご（食器かご）
７    上段食器かご（食器かご）
８    洗浄ポンプ（ポンプ装置）
９    排水口
１０  被洗浄物
１１  残菜フィルタ
１２  ヒータ
１３  分水手段
１４  温度センサ
１５  扉
１６  排水ポンプ
１７  洗剤投入部
【図１】
2007282832.tif 000003
【図２】
2007282832.tif 000004
【図３】
2007282832.tif 000005
【図４】
2007282832.tif 000006
【図５】
2007282832.tif 000007